【手続補正書】
【提出日】平成23年2月14日(2011.2.14)
【手続補正１】
【補正対象書類名】特許請求の範囲
【補正対象項目名】全文
【補正方法】変更
【補正の内容】
【特許請求の範囲】
【請求項１】
動的散水強度システムであって、
ハンドピースであって、
近位端、遠位端、並びに該近位端及び該遠位端間に延びる本体と、
該ハンドピースの前記遠位端に組み立てられる可動先端と、
前記先端の動きを測定する手段と、
前記先端を駆動する手段と、
前記近位端から前記遠位端に延びる、前記本体内の水管路と、
前記近位端から前記遠位端に延びると共に、前記水管路と合わさって前記回転先端に近接して位置するワークピースに散水を供給する、前記本体内の空気管路と、
をさらに備える、ハンドピースと、
水供給源と、
前記ハンドピースの前記近位端で前記水管路に接続される水導管と、
空気供給源と、
前記ハンドピースの前記近位端で前記空気管路に接続される空気導管と、
前記ハンドピースを通る水の流量を前記先端の動きと比較する手段と、
前記先端の動きの速度に基づいて前記ワークピースに対する水の流量を調整する手段と、
を備える、動的散水強度システム。
【請求項２】
歯科用ハンドピースであって、
近位端、遠位端、並びに該近位端及び該遠位端間に延びる本体と、
該ハンドピースの前記遠位端に組み立てられる回転先端と、
前記回転先端を駆動する手段と、
前記先端の周期的な作用を測定する手段と、
前記近位端から前記遠位端に延びる、前記本体内の水管路と、
前記近位端から前記遠位端に延びると共に、前記水管路と合わさって前記回転先端に近接して位置するワークピースに散水を供給する、前記本体内の空気管路と、
を備える、歯科用ハンドピース。
【請求項３】
動的散水強度システムであって、
ハンドピースであって、
近位端、遠位端、並びに該近位端及び該遠位端間に延びる本体と、
該ハンドピースの前記遠位端に位置する、圧縮空気によって動力を供給される回転可能なエアタービンであって、１組のベアリングを含む、エアタービンと、
回転先端を取り外し可能に挿入する、前記エアタービンに取り付けられるチャックと、
組み立てられた先端の前記回転先端の速度を検出するセンサと、
前記近位端及び前記遠位端間に延びる、前記本体内の水管路と、
前記近位端から前記遠位端に延びると共に、前記水管路と合わさって前記組み立てられた先端に近接して位置するワークピースに散水を供給する、前記本体内の第１の空気管路と、
前記近位端から前記回転可能なエアタービンに延びる、前記本体内の第２の空気管路と、
をさらに備えるハンドピースと、
水供給源と、
前記ハンドピースの前記近位端に接続され、前記水供給源から前記ハンドピースに水を供給して、前記回転先端に近接して位置するワークピースに或る水の流量を供給する導管と、
前記導管を通る水の流量を決定する手段と、
前記導管を通る水の流量を前記先端の回転速度と比較する手段と、
前記回転先端の速度に基づいて前記導管を通る水の流量を調整する手段と、
前記ハンドピースの前記近位端と連通して、前記第１の空気管路と前記第２の空気管路に圧縮空気を供給する圧縮空気供給源と、
前記第２の空気管路に対する空気の流量を調整する手段と、
を備える、動的散水強度システム。
【請求項４】
動的散水強度システムであって、
ハンドピースであって、
近位端、遠位端、並びに該近位端及び該遠位端間に延びる本体と、
該ハンドピース内に位置する電気モータと、
前記電気モータによって回転する回転先端を取り外し可能に挿入するチャック及び一組のベアリングと、
組み立てられた先端の前記回転先端の速度を検出するセンサと、
前記近位端及び前記遠位端間に延びる、前記本体内の水管路と、
前記近位端から前記遠位端に延びると共に、前記水管路と合わさって前記組み立てられた先端に近接して位置するワークピースに散水を供給する、前記本体内の空気管路と、
をさらに備える、ハンドピースと、
水供給源と、
前記ハンドピースの前記近位端に接続され、前記水供給源から前記ハンドピースに水を供給して、前記回転先端に近接して位置するワークピースに或る水の流量を供給する、導管と、
前記導管を流れる水の流量を前記先端の回転速度と比較する手段と、
前記回転先端の速度に基づいて、前記導管を通る水の流量を調整する手段と、
前記ハンドピースの前記近位端と連通して前記空気管路に圧縮空気を供給する圧縮空気供給源と、
前記電気モータに動力を供給する電気供給源と、
を備える、動的散水強度システム。
【請求項５】
動的散水強度システムであって、
ハンドピースであって、
近位端、遠位端、並びに該近位端及び該遠位端間に延びる本体と、
該ハンドピース内に位置する電気モータと、
該ハンドピースの前記遠位端から延びる回転先端と、
前記電気モータによって回転する回転先端を取り外し可能に挿入するチャック及び一組のベアリングと、
前記回転先端の速度を示す前記先端の周期的な作用を検出するセンサと、
前記近位端及び前記遠位端間に延びる、前記本体内の水管路と、
をさらに備える、ハンドピースと、
前記近位端から前記遠位端に延びると共に、前記水管路と合わさって前記組み立てられた先端に近接して位置するワークピースに散水を供給する、前記本体内の空気管路と、
前記ハンドピースに動力を供給して前記回転先端を駆動する手段と、
前記水管路と連通して前記回転先端に近接して位置するワークピースに或る水の流量を供給する水供給源と、
前記ハンドピースを通る水の流量を決定する手段と、
前記ハンドピースを通る水の流量を前記先端の回転速度と比較する手段と、
前記ハンドピースを通る水の流量を調整する手段と、
前記センサと通信して前記ハンドピースの周期的な作用を検出し、且つ、前記水の流量を調整する手段と通信する、コントローラであって、該コントローラは、前記ハンドピースを通る水の流量を調整する手段を調整して、前記ハンドピースを通る水の流量を比較する手段が前記検知された回転先端の速度に基づいて水の流量が調整を必要とすることを示す場合に前記ハンドピースに対する流体を計量するコントローラと、
を備える、動的散水強度システム。
【請求項６】
動的散水強度システムであって、
ハンドピースであって、
近位端、遠位端、並びに該近位端及び該遠位端間に延びる本体と、
該ハンドピースの前記遠位端から延びる回転先端と、
前記回転先端が受けるトルクを決定する手段と、
前記ハンドピースに動力を供給して前記回転先端を駆動する手段と、
前記近位端から前記遠位端に延びる、前記本体内の水管路と、
前記近位端から前記遠位端に延びると共に、前記水管路と合わさって前記回転先端に近接して位置するワークピースに散水を供給する、前記本体内の空気管路と、
をさらに備え、
前記水管路と連通する水供給源と、
前記空気管路と連通して前記空気管路に空気を供給する空気供給源と、
前記導管を通る水の流量を前記回転先端が受けるトルクと比較する手段と、
前記回転先端が受けるトルクに基づいて、前記ワークピースに対する水の流量を調整する手段と、
を備える、動的散水強度システム。
【請求項７】
動的散水強度システムであって、
歯科用ハンドピースであって、
近位端、遠位端、並びに該近位端及び該遠位端間に延びる本体と、
該ハンドピースの前記遠位端に組み立てられる回転先端と、
前記回転先端を駆動する手段と、
前記近位端から前記遠位端に延びる、前記本体内の水導管と、
前記近位端から前記遠位端に延びると共に、前記水導管と合わさって前記回転先端に近接して位置するワークピースに散水を供給する、前記本体内の空気管路と、
を備える、歯科用ハンドピースと、
前記水導管を通る水の流量を測定する手段と、
前記先端の周期的な作用を測定する手段と、
前記回転先端が受けるトルクを決定する手段と、
前記導管を通る水の流量を前記回転先端が受けるトルクと比較する手段と、
前記回転先端が受けるトルクに基づいて、前記ワークピースに対する水の流量を調整する手段と、
前記導管を通る水の流量を前記回転先端の測定された周期的な作用と比較する手段と、
前記先端の測定された周期的な作用に基づいて、前記ワークピースに対する水の流量を調整する手段と、
前記回転先端が受けるトルクに基づくワークピースに対する水の流量の調整と前記先端の測定された周期的な作用に基づくワークピースに対する水の流量の調整との間で選択可能なスイッチと、
を備える、動的散水強度システム。
【請求項８】
動的散水強度システムであって、
歯科用ハンドピースであって、
近位端、遠位端、並びに該近位端及び該遠位端間に延びる本体と、
該ハンドピースの前記遠位端に組み立てられる回転先端と、
前記回転先端を駆動する手段と、
前記近位端から前記遠位端に延びる、前記本体内の水導管と、
前記近位端から前記遠位端に延びると共に、前記水導管と合わさって前記回転先端に近接して位置するワークピースに散水を供給する、前記本体内の空気管路と、
を備える、歯科用ハンドピースと、
前記水導管を通る水の流量を制御する手段と、
前記先端の周期的な作用を測定する手段と、
前記回転先端が受けるトルクを決定する手段と、
前記導管を通る水の流量を、前記回転先端が受けるトルクと、及び前記回転先端の測定された周期的な作用と比較し、さらに、該回転先端が受けるトルク及び該回転先端の測定された周期的な作用の一方の優先度に基づいて前記水導管を通る水の流量を決定する、コントローラであって、さらに、前記水導管を通る水の流量を制御する手段と通信する、コントローラと、
を備える、動的散水強度システム。